(57)【要約】【課題】ボールのショット時、上にボールを載せた支柱が、ボールの移動に従ってなびき、ゴルフクラブが振り抜けていく空間を生じさせるゴルフティーを提供する。【解決手段】ティー本体２と、ボール支持部３を備え、ティー本体２は、先端部が尖った脚部２１とボール支持部３を装着する台座部２２とから成り、ボール支持部３は、台座部２２の中央を中心とする円周上に等間隔に配置され且つ柔軟な材質からなる長さが１０ｍｍ前後のほぼ直立した複数本の支柱３１を有し、台座部２２の上面には高さが２〜４ｍｍの円筒状のボール押さえ部２２２が設けられている。【選択図】図１
2019181208.tif 000002
【特許請求の範囲】
【請求項１】
ティー本体と、ボール支持部を備え、
前記ティー本体は、先端部が尖った脚部と前記ボール支持部を装着する台座部とから成り、
前記ボール支持部は、前記台座部の中央を中心とする円周上に等間隔に配置され且つ柔軟な材質からなる長さが１０ｍｍ前後のほぼ直立した複数本の支柱を有し、
前記台座部上面に、高さが２〜４ｍｍの円筒状のボール押さえ部が設けられていることを特徴とするゴルフティー。
【請求項２】
円筒状の前記ボール押さえ部上端の環状部は、ゴルフボールの外形に即した曲面を有することを特徴とする請求項１に記載のゴルフティー。
【請求項３】
前記ボール押さえ部と前記ボール支持部とを一体成形して前記ティー本体の台座部に装着し、前記ボール押さえ部は前記複数本の支柱の内側に高さが２〜４ｍｍの円筒状に設けられ、前記ボール押さえ部がゴルフボールと当接する面は平面あるいはゴルフボールの外形に即した曲面であることを特徴とする請求項１に記載のゴルフティー。
【請求項４】
前記支柱の先端部は、幅１．０〜１．３ｍｍ、厚みは０．８〜１．２ｍｍの四辺形状、或は直径１．０〜１．５ｍｍの円形状であり、ショット時のボールを該先端部と支柱側面との稜部において支持することを特徴とする請求項１〜３のいずれか１に記載のゴルフティー。
【請求項５】
前記支柱は、使用される原料あるいは先端部の加工によって所定の摩擦係数を有することを特徴とする請求項１〜４のいずれか１に記載のゴルフティー。
【発明の詳細な説明】
【技術分野】
【０００１】
ボールのショット時、上にボールを載せた支柱が、ボールの移動に従ってなびき、ゴルフクラブが振り抜けていく空間を生じさせるゴルフティーに関する。
【背景技術】
【０００２】
従来ゴルフティー（以下、「ティー」）は、先端部が尖った脚部とボールを載せる頂部とが一体となったものが多く使用されている。しかし、この種のティーでは、ボールがヒットされる際にティーとボールとの接置面で抵抗が生じ、その分飛距離が減少するという問題があった。ティーは、第１打をショットする際に、地面に突き刺し、反対側の頂部にボールを載せるために用いられる。地面に突き刺すとき、ボールを載せた状態でボールとティーを手でつかみ、下向きの力を加える。
ティーはその目的からティーとボールとの抵抗を軽減し飛距離を伸ばすことが望ましい。それとともに、ボールを載せた状態で容易に地面に突き刺せるならば、一層望ましい。
【０００３】
特許文献１に開示されているティーは、打撃時の抵抗を極力少なくする、及びボールを載せた状態で地中に容易に突き刺せる、という２点の実現を目的とするものである。
この特許文献１に記載のティーは、硬質材料から形成される固定部材と、軟質材料から形成される可動部材とから構成され、可動部材の上端部が複数の支柱に分割されるボール支承部を有し、固定部材の上端部には凹曲面状のボール当接面を有している。
ここで、ボール支承部とは、ティーショット時のボールの支えであり、ボール当接面とは、地面押下時のボールの支えである。このティーを、ボールを介して地面に突き刺す際、ボール支承部を押し開いてボール当接面にボールを当接した状態でボールに下向きの圧力を加えて突き刺す。
【０００４】
しかしながら、上記特許文献１に記載されたティーは、ティーショット時にもボールは、ボール支承部だけではなく、ボール当接面にも当接している。
つまり、ボール当接面も常にボールと接触しているので、打撃時の抵抗となり、飛距離を減少させることになる。この抵抗を軽減させるために、ティーショットの際には固定部材と可動部材とをスライドさせて、なるべくボール支承部のみでボールを支持させようとしている。しかし、このように可動性を持たせるのでは複雑な構造となり、ティーのように安価な製品の実用化には適さない。また、ティーショット時にボールを支持する支柱が一体成形されているので、金型の制約上支柱を長くするには限界がある。
【０００５】
このような問題点に鑑み、本出願人は先に、外支柱と内支柱とを別体とし、外支柱にはショット時にボールを載せるだけの機能に特化させ、内支柱にはティーを地面に突き刺す際に圧力を受けるだけの機能に特化させたティーを提案した（特許文献２）。
【先行技術文献】
【特許文献】
【０００６】
【特許文献１】特開２００７−１３０３３９号公報
【特許文献２】特開２０１７−７７４０６号公報
【発明の概要】
【発明が解決しようとする課題】
【０００７】
上記特許文献２に記載されたティーは、外支柱を従来よりも長く且つ極めて細くできるので、殆ど抵抗を感じないショットを可能とするという利点がある。また、ショット時にはボールが内支柱に接触すらしないので、内支柱によって飛距離を減少させる抵抗が生ずることもない。つまり、ティーショット時のボールの支えと地面押下時のボールの支えを、実用上明確に分離したのである。
【０００８】
しかしながら特許文献２では、複数本の外支柱と内支柱を１本ずつ台座部に挿入しなければならず、製造の手間がかかり、部品点数も多い。熟練作業こそ必要としないとはいえ、廉価に且つ大量に生産するには問題があった。
【０００９】
そこで本発明は、細く柔軟な支柱を備え、クラブの良好な振り抜けと飛距離アップとを可能とするティーを、少ない部品点数で、作業が簡単で、廉価に大量生産できることをも目的としたのである。
【課題を解決するための手段】
【００１０】
前記目的を達成するため、請求項１にかかるゴルフティーは、
ティー本体と、ボール支持部を備え、
前記ティー本体は、先端部が尖った脚部と前記ボール支持部を装着する台座部とから成り、
前記ボール支持部は、前記台座部の中央を中心とする円周上に等間隔に配置され且つ柔軟な材質からなる長さが１０ｍｍ前後のほぼ直立した複数本の支柱を有し、
前記台座部上面に、高さが２〜４ｍｍの円筒状のボール押さえ部が設けられていることを特徴とする。
ボール押さえ部を設けたのは、ティー刺し込み時にボールを介して加えられる圧力を一手に受けるためである。これにより各支柱の専らの役割は、ショット時にボールを支えるだけとなったのである。ボール押さえ部は高さが２〜４ｍｍ程度であって、長さが１０ｍｍの支柱の場合、ショット時に支柱の先端部に載せたボールとの間に約６〜８ｍｍの空間を生じさせる。
しかも、ティー本体上部に円筒状の隆起を設けるための金型の制作は容易であり、且つティー本体にボール支持部を装着する作業は熟練を要しないので、安価に大量に製造できる。
請求項２に係る発明は、請求項１に記載のゴルフティーにおいて、円筒状の前記ボール押さえ部上端の環状部は、ゴルフボールの外形に即した曲面を有することを特徴とする。
これによりボール押さえ部にボールが面接触するので、均等に力を加えやすくなり、地面に対してほぼ垂直にティーを突き刺すことができる。
【００１１】
本発明の支柱は、刺し込み時にボールを支える役割を持たないことから、ショット時にボールを支える役割だけを担えばよい。
このような本発明の支柱は、次の４つの条件を具備するものとする。
・     長い
・     柔軟である
・     湾曲していない（直線状）
・     滑りにくい
これらの条件を備えているので、下記の実施形態で述べるショット時の「なびき」を実現できる。
【００１２】
請求項３に係る発明は、請求項１に記載のゴルフティーにおいて、前記ボール押さえ部と前記ボール支持部とを一体成形して前記ティー本体の台座部に装着し、前記ボール押さえ部は前記複数本の支柱の内側に高さが２〜４ｍｍの円筒状に設けられ、前記ボール押さえ部がゴルフボールと当接する面は平面あるいはゴルフボールの外形に即した曲面であることを特徴とする。
このように一体化したことによって、ショット時に一部の支柱だけが衝撃を受けるのではなく、他の支柱やボール押さえ部にも衝撃が分散されるので、耐衝撃性が格段に向上する。
【００１３】
前記支柱の先端部は、幅１．０〜１．３ｍｍ、厚みは０．８〜１．２ｍｍの四辺形状、或は直径１．０〜１．５ｍｍの円形状であり、ショット時のボールを該先端部と支柱側面との稜部（先端部と支柱側面がほぼ９０度を形成する角（かど））において支持することが好ましい。また、前記支柱は、使用される原料あるいは先端部の加工によって所定の摩擦係数を有することが好ましい。
先端部の角でボールを支持したり、材質を適切に選択したりすれば、上記の支柱の４条件のうち、滑りにくさを実現できる。
【発明の効果】
【００１４】
複数本の支柱と、支柱の内側にあって隆起しているボール押さえ部とを備えたことを特徴とする本発明は次の効果を奏する。すなわち、支柱にはショット時にボールを載せるだけの機能に特化させた。その結果、支柱を従来よりも長く且つ細くできるので、柔らかく滑りにくい素材を選択し且つ湾曲させずにほぼ直立した状態でボールを支えるならば、ボールの移動にともない支柱がなびき、支柱が傾斜した空間をクラブが振り抜けていくことが可能となる。
【図面の簡単な説明】
【００１５】
【図１】実施の形態のティーの正面図である。
【図２】実施の形態のティーの平面図である。
【図３】図２のＡ−Ａ断面図である。
【図４】実施の形態のティーを地面に突き刺す状態を説明する図である。
【図５】実施の形態のティーが支柱の先端部でボールを支持する状態を説明する図である。
【図６】ショット時における実施の形態のティーとボールの状態とを説明する図である。
【図７】ショット時における（実施の形態のティーの）試作品とボールの状態とを示す写真である。
【図８】ショット時における（実施の形態のティーの）試作品とボールの状態とを示す写真である。
【図９】第２の実施の形態のティーのボール押さえ部とその周辺の部分断面図である。
【図１０】ボール押さえ部の変形例を示す平面図である。
【図１１】第３の実施の形態のティーの断面図である。
【図１２】第３の実施の形態のティーを（１）地面に突き刺す状態を説明する図と、（２）支柱の先端部でボールを支持する状態を説明する図である。
【発明を実施するための最良の形態】
【００１６】
本発明の一実施の形態のティー１について、図面を参照しながら説明する。
なお、以下の説明において、「上方」あるいは「上面」といった表現をするときの「上」とは、ティーの機能上の上方をいう。即ち、ティーは、地面あるいは芝に一方の先端部を突き刺し、他方の先端部にゴルフボールを載せて用いるが、以下の説明では、ボールを載せる側を「上」、地中に突き刺す側を「下」と表現している。
【００１７】
ティー１は、図１に示すように、ティー本体２と、ボール支持部３とから構成される。
【００１８】
ティー本体２は、下方の脚部２１と上方の台座部２２とが一体に形成されている。このティー本体２は、強度のある合成樹脂を用いて一体成形すればよいが、木製でもよい。
脚部２１は、地面あるいは芝に容易に突き刺せるように下端部が先細に尖っている。
台座部２２は、図１（正面図）、図３（断面図）に示すように、ボール支持部３を取り付ける支柱取付部２２１と台座部２２の上面から約２〜４ｍｍほど隆起した円筒状のボール押さえ部２２２が形成される。
ティー本体２の内部にはボール押さえ部２２２の上端部から下方に向かう空洞部２２３を形成してもよい。ティー本体２の軽量化が図れるからである。ただし、空洞を設けず、有底（図３では、破線で表示している）の円筒状としてもかまわない。
【００１９】
ここで、本発明のボール押さえ部の意義について説明する。
ティーにボールを載せた状態でティーとボールの双方をつかんでティーを地面に突き刺すゴルファーが多い。従来の支柱に載せてボールを支えるタイプのティーでは、支柱はショット時にボールを支えるとともに、ティーを地面に突き刺す時にもボールを支えていた。そのため、支柱はある程度の強度を確保しなくてはならず、ショット時の抵抗を削減するには限界があった。しかし、本発明では、ティーを押し込む際の圧力をボール押さえ部のみが受けるので、支柱は、ショット時にボールを支持する機能に特化すればよい。これにより、支柱を長く細くすることができ、ショット時に芝草のようになびく支柱を実現できることとなったのである。
【００２０】
ボール支持部３は、複数本の支柱３１と、各支柱３１の下部をつなぐリング状の連結部３２から構成される。支柱３１と連結部３２からなるボール支持部３は、一体成形可能である。
連結部３２は、台座部２２の支柱取付部２２１に装着され、複数本の支柱３１が台座部２２の上方に垂直に或はやや外側に向かって真っ直ぐに突き出る。このように湾曲していないことも、本発明の支柱の特徴のひとつである。
台座部２２から突き出た各支柱３１の長さは１０ｍｍ前後であって、１０ｍｍ超えも可能であり、ゴルファーにとって理想的な高さでボールを支持できる。
支柱３１の本数は８本程度であり、各支柱３１は、連結部３２から上方に向かって細くなる。図２の平面図に示すように各支柱３１は、ティー１の中心Ｏを中心とする円周上に等間隔に配置される。各支柱３１の先端部の形状は円形あるいは四辺形であり、ショット時に載せられたボールは、各支柱３１の先端部で支持される。先端部が四辺形の場合、幅１．０〜１．３ｍｍ、厚みは０．８〜１．２ｍｍの設定で試作したところ、良好な結果が得られた。この先端部に対応する根元部分は幅２．０〜２．５ｍｍ、厚みが１．５〜２．０ｍｍに設定するとよい。
支柱３１には、細くても十分に強靭であって変形からの復元力が強く且つ柔軟性に富む合成樹脂（例えば、エラストマー）などが適している。ボールを載せたときに折れたりせず、ボールの通過に伴い変形しても元の状態にただちに復元できることが望まれるからである。
【００２１】
このように、ティー本体２とボール支持部３は、それぞれ一個の部品として成形できる。つまり、本発明のティー１の部品を２点だけにすることができ、しかもティー本体２上部の支柱取付部２２１にボール支持部３の連結部３２を被せるだけでよいので廉価に大量生産ができる。
【００２２】
特許文献１において、本発明のボール押さえ部２２２に相当するのは、棒状部材の端部にある「ボール当接面１７」であるが、ボールを支える部分の面積が狭い。一方、本発明のボール押さえ部２２２は、リング状なので、棒状である場合に比べてボールの広い部分を支えることができる。そのため、ティー１を地面に突き刺す際に、ボールを安定した状態で把持することができる。
【００２３】
このティー１の使用について、プレーヤーがティー１を地面Ｇに突き刺す動作と、ゴルフボールＢをティーアップする動作に分けて説明する。
【００２４】
まず、ティー１を地中に突き刺すときの使用法について、図４を参照しながら説明する。ボールＢをボール押さえ部２２２の上端部に押し当てボールＢを手のひらで包むようにしつつ、ティー本体２の側面外側に指をかけ、下向きの力ＰをボールＢにかける。このようにして、ティー１は、ボールＢを介して容易に地面Ｇに刺し込まれる。
図４に示すように、下向きの力ＰはボールＢを介して、ボール押さえ部２２２にかかるのであって、支柱３１には、ボールＢが接触する程度であり、力Ｐは殆どかからない。そのため、支柱３１は、力Ｐを受けても耐えうるような強度までは要求されない。したがって支柱３１は、ショット時の抵抗を低く抑えることができるのである。
【００２５】
次に、ティーアップのときの使用法について、図５、図６を参照しながら説明する。
ボールＢをティー１に載せた状態で脚部２１を所望の深さまで地中に刺し込み、ボールＢにかけた圧力Ｐを所望の高さで解放すると、ボールＢは支柱３１の先端部に載る。ボールＢは支柱３１の先端部（図５において破線の小円で囲んだ部分）のみで支えられている。
ここで、ボール押さえ部２２２の上端部は支柱３１の先端部よりも６〜８ｍｍほど低い位置にあるので、ボールＢとボール押さえ部２２２との間に６〜８ｍｍ前後の空間が生じ、この状態でショットにそなえる。
【００２６】
支柱３１とゴルフボールＢとの状態を図６に従い、説明する。
図６（１）はティー１にボールＢがティーアップされた状態である。ボールＢは、長く柔軟な支柱３１の先端部に載っている。
ボールＢがショットにより打ち出され（図６（２））、支柱３１を離れて目標とする方向に飛び出す。支柱３１は長く柔かなので、その時ボールＢが接している支柱３１はボールＢの移動方向に丈を半分くらいにしてなびき、クラブＣは支柱３１がなびいて生じた空間上部を振り抜けて行く（図６（３））。これにより、生じる抵抗はボールをショットしたことによる抵抗のみであり、ゴルファーの願望であるヘッドスピードが得られる。それは飛距離アップと振り抜きの進化により、難しいとされているロング・ミドルアイアンが容易に扱えて、ゴルフの楽しさが倍加する。
【００２７】
本発明のティーが、上記のような「なびき」を実現できるのは、支柱にはティーアップされたボールを載せる機能だけを持たせたことを前提とし、支柱３１が４つの条件を具備するからである。２つの条件のうち、”長い“、”柔らかい“については説明するまでもない。
これらに、“湾曲していない”、“滑りにくい”という条件が加わることで「なびき」を実現できたのである。
【００２８】
“湾曲していない”支柱は、次の利点を有する。
支柱が湾曲せず真っ直ぐであれば、ショット時のボールを支柱の先端で支えることになる。支柱の先端部は円形や四辺形状等をしており、先端部はその外周から支柱の側面部にほぼ９０度に連なっている。この角ばっている外周部分がボールとの接点である。支柱の材質は柔らかい樹脂であるので、ショットによりボールが支柱から移動する際に先端部の角がボールを引き摺り、支柱の「なびき」が生ずる。
もし湾曲しているならば、ボールは支柱の角ではなく、外側に向かって開いた状態の支柱の内側と接触することになって、「なびき」が生じない。
なお、支柱の形状が湾曲したものであるならば、繰返しの使用によって湾曲が促進されてボールを支持するのに支障が生じるという問題点もある。
【００２９】
“滑りにくい”支柱は、次の利点を有する。
滑りやすい、つまり摩擦係数が小さければ、静止している支柱の上をボールが移動しても、支柱の先端部とその近傍が移動を開始することはない。摩擦係数の大きい材料を用いたり、ボールとの接触面である支柱の先端部の表面を粗くしたりすることで滑りにくくした支柱であれば、ボールの移動にともなう「なびき」を実現できる。
【００３０】
以上のように、柔軟性があり、摩擦係数が大きい原料を適切に選定し、長くて湾曲していない支柱を形成すれば、「なびき」を実現できるのである。
なお、図７に示す写真は、ティー１の試作品に載せたボールを打ち出した直後、ボールの移動に従い、支柱がなびく様子を撮影したものである。図８に示す写真は、ボールがティーから離れた後に生じた空間をクラブが振り抜けていく様子を撮影したものである。
【００３１】
次に、図９を参照しながら、第２の実施の形態のティー１０について説明する。
ティー１０は、第１の実施の形態のティー１と比べ、ボール押さえ部以外は異なるところが無い。
ティー１のボール押さえ部２２２は、図９（２）に示すように環状の上端面は水平な平面である。地面への押下時には、図９（２）の破線の小円で囲んだ箇所においてボールを円形の線接触で支えている。線接触なので、ボールを通して均等に力が加わらないと、ティー１が使用者の望む角度（通常は地面に対して垂直）で地面に刺さらないおそれがある。
これに対し、図９（１）に示すようにティー１０のボール押さえ部３２２は、上端面３２２ａがボールの外形に即した曲面状に形成されている。そのため、ボールと面接触することになって均等に力を加えやすくなり、使用者の望む角度でティー１０を地面に刺すことができる。
【００３２】
上記の実施形態では、支柱３１の本数を８本としていたが、８本に限るものではなく、ボールＢの重量や支柱３１の材質などを考慮し、ボールＢを支持できるだけの必要最小限の本数とすればよい。例えば、６本でもよい。
各支柱３１の長さについても、１０．０ｍｍ前後に限らず、ゴルフクラブの種類によって変えてもよい。例えば、アイアン用のティーは、長さが７ｍｍとし、先端部を１ｍｍ角、根元を２ｍｍ角として試作したところ、前述したボールの飛び出す方向に支柱がなびくという現象を確認した。７ｍｍ前後の長さであれば、ボール押さえ部の上端部は、支柱の上端部から概ね５ｍｍ前後下方にあって、ボールとの間に５ｍｍ前後の空間を確保できるのである。
【００３３】
ボール押さえ部の形状についても、図２に示すように円筒状が基本である。
しかし、図１０（１）に示すボール押さえ部２２２Ｘでは、円筒の側面に支柱３１の太さに対応する幅の切れ目２２２Ｙをいれている。図１０（２）に示すボール押さえ部２２２Ｕでは、外側面に支柱の本数分だけくぼみ２２２Ｖを設けている。円筒状のボール押さえ部であれば、なびいた支柱３１がボール押さえ部に当たり破損してしまうこともある。しかし、図１０（１）（２）の変形例であれば、なびいた支柱３１（図中破線で表示）は切れ目或はくぼみのある箇所に向かって倒れるので、損傷を少なくできる。
【００３４】
最近は、透明な合成樹脂が出回っているので、本発明のティーの支柱３１にこれを用いるとよい。ゴルフ場の芝の上に突き刺してボールを載せると、芝の上に所望の高さでボールが浮いているも同然の状態であり、プレーヤーも見学者も、自然の下でのスポーツを十分に実感し、満喫できるのである。
【００３５】
次に、図１１を参照しながら、第３の実施の形態のティー５０について説明する。この実施の形態は請求項３に記載の発明に対応するものである。ティー５０は、第１の実施の形態のティー１とデザイン上の相異がある。すなわち、ティー１は、上端部にボール押さえ部２２２が形成されたティー本体２に、複数本の支柱３１を備えたリング状のボール支持部３を取り付ける。一方、ティー５０は、ティー本体５１の上端部に、複数本の支柱５２１２を備えた帽子状のボール載置部５２を被せる。
【００３６】
ティー５０は、図１１に示すように、ティー本体５１と、ボール載置部５２とから構成される。
ティー本体５１は、下方の脚部５１１と本体上部５１２とから成る。このティー本体５１は、強度のある合成樹脂を用いて一体成形すればよいが、木製でもよい。
脚部５１１は、地面あるいは芝に容易に突き刺せるように下端部が先細に尖っている。
【００３７】
ボール載置部５２は、ボール支持部５２１とボール押さえ部５２２とが一体成形され、ボール押さえ部５２２のボール当接面の数ｍｍ下方からボール支持部５２１の下端部まで空洞（本体嵌合部５２３）が形成される。
ボール支持部５２１は、ティー本体５１との連結部５２１１の上方に複数本の支柱５２１２を備える。
ボール載置部５２の本体嵌合部５２３内にティー本体５１の上部５１２を嵌め込むだけでティー５０は完成する。このように作業は簡単であり、部品をティー本体５１とボール載置部５２の２点だけにすることができるので廉価に大量生産ができる。
【００３８】
支柱５２１２の長さ、本数、形状、材質は第１の実施形態のティー１と同様である。
すなわち、各支柱５２１２の長さは１０ｍｍ前後であり、本数は８本程度である。また、各支柱５２１２は、連結部５２１１から上方に向かって細くなり、ティー５０の中心の周りに円周上に等間隔に配置される（図２に示すティー１と同様）。各支柱５２１２の先端部の形状は円形あるいは四辺形であり、ショット時に載せられたボールは、この先端部で支持される。
支柱５２１２には、細くても十分に強靭であって変形からの復元力が強く且つ柔軟性に富む合成樹脂（例えば、エラストマー）が適している。ティー５０は、支柱５２１２を含むボール載置部５２全体にエラストマーなどを用いることになる。
【００３９】
ボール押さえ部５２２は複数本の支柱５２１２で囲まれた内側にあり、支柱５２１２の根元部分から約２〜４ｍｍほど隆起する。
ボール押さえ部５２２の役割は第１の実施の形態のティー１と同様である。
すなわち、ティー５０を地面に突き刺す際の圧力をボール押さえ部５２２のみが受けることとし、支柱５２１２は、ショット時にボールを支持する機能に特化する。これにより、支柱５２１２を長く細くすることができ、ショット時に芝草のようになびく支柱を実現できるのである。
【００４０】
ティー５０の使用方法は、ティー１と同様（図４、図５を参照）であるが、図１２を参照しながら簡単に説明する。
図１２（１）に示すように、ボールＢをボール押さえ部５２２の上方から押し当てボールＢを手のひらで包むようにしつつ、ティー本体の側面外側に指をかけ、下向きの力ＰをボールＢにかける。このようにして、ティー５０は、ボールＢを介して容易に地面Ｇに刺し込まれる。下向きの力ＰはボールＢを介して、ボール押さえ部５２２にかかるのであって、細く柔軟な支柱５２１２は外側に撓りボールＢが接触する程度であって、力Ｐは殆どかからない。
続いて、図１２（２）に示すように、ティー５０が所望の高さになったところでボールＢにかけた圧力Ｐを解放する。支柱５２１２は元の形状に復元し、ボールＢは支柱５２１２の先端部に載ってこの先端部のみで支えられる。ここで、ボール押さえ部５２２の上端部は支柱５２１２の先端部よりも６〜８ｍｍほど低い位置にあるので、ボールＢとボール押さえ部５２２との間に６〜８ｍｍ前後の空間が生じ、この状態でショットにそなえる。
【００４１】
上記の説明のように、ティー５０は、第１の実施の形態のティー１とデザイン上の相異がある。しかし、ティー１の単なるデザインの変更にとどまらず、次のような利点がある。
すなわち、ゴルフプレーでショットに際し、硬いティーグラウンドもあるので、ボールをティーの上部の台座に載せ、手のひらに包み押し込む所作は、非力なシニアや女性には容易なことではなかった。ティー５０では、一体化した支柱５２１２とボール押さえ部５２２に用いられているエラストマーがゴム質の樹脂なので、ボールを載せた際に滑り難く容易にティーグラウンドに押し込める。
また、次に述べるような利点もある。
ティーショットに於いて、ゴルフクラブはドライバー用と、アイアン用の二種類のクラブを使用するが、ショットされるティーグラウンドは芝や砂利等がある。ショットされて飛散したティーは芝屑や土埃で汚れ、ポケットに収納したいゴルファーは、汚れが気になって対応に苦心している。特にショートホールでは、ティーグラウンドより少し高いだけの高さでショットするので汚れの付着が多く、又アイアンクラブで地中に打ち込む打法のゴルファーのショットでは、芝屑や土埃はクラブに張り付き、ウェアーやズボンのポケットを汚すことが多く、扱いに困っていた。しかし、ティー５０が汚れた際には、先端部を持ち水で濯ぐことで容易に元通りのきれいな状態で使用できる。男性も女性もお洒落を楽しむゴルファーが多く、ティーショット時の汚れを容易に除去できるティーは彼らの要望に合致する。
さらに、ティー５０では、支柱５２１２とボール押さえ部５２２を含むボール載置部５２を一体化して、柔軟性のあるエラストマーで一体成形するので、ティーショット時に支柱５２１２とボール押さえ部５２２に加わる衝撃が分散されて破損や変形がおきにくい。
【産業上の利用可能性】
【００４２】
本願のティーは、ゴルフクラブの良好な振り抜けを可能とし、飛距離がのび、最近の大型のゴルフヘッドにも対応できる。さらに、支柱を傷めずに地面へ容易に突き刺せることから、多くの需要が期待できる。
【符号の説明】
【００４３】
１：ティー
２：ティー本体
２１：脚部
２２：台座部
２２１：支柱取付部
２２２：ボール押さえ部
２２３：空洞部
３：ボール支持部
３１：支柱
３２：連結部
１０：ティー
３２２：ボール押さえ部
５０：ティー
５１：ティー本体
５１１：脚部
５１２：本体上部
５２：ボール載置部
５２１：ボール支持部
５２１１：本体連結部
５２１２：支柱
５２２：ボール押さえ部
５２３：本体嵌合部
Ｂ：ゴルフボール
Ｃ：ゴルフクラブ
Ｇ：地面
【図１】
2019181208.tif 000003
【図２】
2019181208.tif 000004
【図３】
2019181208.tif 000005
【図４】
2019181208.tif 000006
【図５】
2019181208.tif 000007
【図６】
2019181208.tif 000008
【図７】
2019181208.tif 000009
【図８】
2019181208.tif 000010
【図９】
2019181208.tif 000011
【図１０】
2019181208.tif 000012
【図１１】
2019181208.tif 000013
【図１２】
2019181208.tif 000014